【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
X線源であって、
電子を加速させるためにチャンバを画定するハウジングと、該チャンバの出力部とを備え、前記チャンバが第1縦軸を有しており、前記出力部が該第1縦軸と整列しているために、チャンバを出た加速した電子の通過が可能になり、
第2縦軸を有する通路を画定する管をさらに備え、該管が、前記ハウジングの出力部と結合した基端部を有しているため、前記第2縦軸が前記第1縦軸と整列でき、加速した電子が前記通路内に入ることが可能になり、
前記管内の対象物材料をさらに備えており、加速した電子による前記対象物材料への衝撃によって、X線放射線が生じ、さらに、
前記管の少なくとも一部分における遮蔽材料をさらに備え、前記遮蔽材料が、遮蔽材料を通じて延びているスロットを画定しており、前記スロットにより、生成された放射線の通過が可能になり、
前記スロットが、前記第1、第2縦軸を横断する軸周辺で中心決めされているX線源。
【請求項２】
電子を、前記第1縦軸に沿って、チャンバ内へ発するための電子源をさらに備えており、前記縦軸がハウジングによって支持され、
前記ハウジングは、前記チャンバに対する入力開口部を画定し、
前記電子源は、前記入力開口部に接続されている、請求項1に記載のX線源。
【請求項３】
前記対象物が管の末端部に位置している、請求項1に記載のX線源。
【請求項４】
前記スロットの軸が第1、第2軸に対して垂直である、請求項1に記載のX線源。  
【請求項５】
前記スロットがファンビームまたはコーンビームを画定している、請求項1に記載のX線源。
【請求項６】
前記遮蔽材料が、対象物から遮蔽材料の外面にまで延びた複数のスロットを画定しており、前記スロットが第1、第2軸を横断している、請求項1に記載のX線源。
【請求項７】
前記スロットの少なくともいくつかが、これと対応する、第1、第2軸に対して垂直な軸を有する、請求項6に記載のX線源。
【請求項８】
前記少なくともいくつかのスロットの開閉を選択的に行うために、前記少なくともいくつかのスロット付近において、前記ハウジングと結合しているシャッターをさらに備えている、請求項6に記載のX線源。
【請求項９】
ベンドマグネットをさらに備え、
該ベンドマグネットをハウジングの出力部と結合する第2管をさらに備え、前記第1管の基端部が、前記ベンドマグネットと第2管によって、ハウジングの出力部と結合しており、
前記ベンドマグネットと結合した第1端部を有する第3管をさらに備え、
前記第3管内の第2対象物材料をさらに備え、
前記第3管の、対象物材料を包囲している少なくとも一部分の周囲に遮蔽材料をさらに備えており、
これにより、前記ハウジングから出る電子が、前記第1または第3管を介し、ベンドマグネットによって、第1または第2対象物へ選択的に向けられる、請求項1に記載のX線源。
【請求項１０】
第2ベンドマグネットをさらに備え、
前記ベンドマグネットを第2ベンドマグネットと結合する第4管をさらに備えており、
前記第3管が、第4管および第2ベンドマグネットを介して、第1ベンドマグネットと結合されており、
前記第2管、前記ベンドマグネット、前記第1対象物が、前記第1および第2縦軸に沿って整列している、請求項9に記載のX線源。
【請求項１１】
前記遮蔽材料が、タングステン、鋼鉄、鉛で構成されたグループから選択される、請求項1に記載のX線源。
【請求項１２】
前記ハウジングが直線加速器を画定している、請求項1に記載のX線源。
【請求項１３】
前記直線加速器が、電子を、複数のエネルギーのうち選択した1つへと加速させる、請求項12に記載のX線源。
【請求項１４】
X線源であって、
高エネルギー電子源を備え、該高エネルギー電子が縦経路に沿って移動し、
前記高エネルギー電子の縦経路に沿った対象物材料をさらに備え、前記対象物材料が、該高エネルギー電子が対象物に衝突したことにより、X線放射線を生成し、
前記対象物の少なくとも一部分の周囲における遮蔽材料をさらに備え、前記遮蔽材料が、対象物から遮蔽材料の表面へと延びたスロットを画定しており、前記スロットにより、発せられた電子が対象物に衝突したことにより生じた放射線の通過が可能になり、
前記スロットが、前記縦経路を横断する軸周辺で中心決めされているX線源。
【請求項１５】
物体を検査するための走査システムであって、
前記物体を、該システムの縦軸に沿って、該システムにかけて移動するためのコンベヤ・システムを備え、
放射線源をさらに備え、前記放射線源が、
高エネルギー電子源を備え、前記高エネルギー電子が縦経路に沿って移動し、
前記高エネルギー電子の縦経路に沿って対象物材料をさらに備え、また、該高エネルギー電子が対象物に衝突するために、前記対象物材料が放射線を生成し、
前記スロットが、該縦経路を横断する軸周辺で中心決めされており、
前記放射線源が、前記搬送システムに関連して位置決めされているため、前記スロットを介して発せられた放射線が、検査のために、前記搬送システム上の物体を照射する、物体を検査するための走査システム。
【請求項１６】
前記放射線源がX線放射線源である、請求項15に記載の走査システム。
【請求項１７】
放射線源は縦軸を有し、縦経路と縦軸が鋭角縦軸を形成している、請求項15に記載の走査システム。
【請求項１８】
前記放射線源が縦軸を有し、前記縦経路と縦軸が平行している、請求項15に記載の走査システム。
【請求項１９】
生成された放射線を発するために、前記放射線源が少なくとも１つの第2スロットを有し、前記少なくとも１つの第2スロットの少なくともいくつかが前記縦経路を横断するそれぞれの軸周辺で中心決めされており、
前記走査システムがさらに、
前記第1縦軸と平行する第2縦軸に沿った前記走査システムを介して物体を移動するための第2搬送システムを備え、
前記第2搬送システムは、前記走査システムを介してそれぞれの対象物を移動させる複数の第2搬送機を備え、前記第2搬送機の少なくとも１つは前記第2スロットの１つに対応し、前記第2スロットの少なくともいくつかは、生成された放射線を発し、それぞれの第2搬送機上で対象物に照射するように配置されている、請求項15に記載の走査システム。
【請求項２０】
それぞれのスロットの各々の付近において前記システムと機械的に結合し、
前記それぞれのスロットを選択的に開閉する、対応するシャッターをさらに備える、請求項19に記載の走査システム。
【請求項２１】
前記スロットの軸が前記縦経路に対して垂直である、請求項15に記載の走査システム。
【請求項２２】
物体を検査するためのX線走査システムであって、
前記物体を、前記システムにかけて、第1縦軸に沿って移動するためのコンベヤ・システムと、
第2縦軸を有する細長形状のX線源であって、ピークエネルギーが少なくとも１MeVのX線放射線を発することが可能なX線源と、
前記物体に作用した後の放射線を検出するように配置された検出器と、を備え、
前記X線源が、前記搬送システム付近に支持されて、前記第1縦軸と第2縦軸とが90°より小さい角度を形成する、X線走査システム。
【請求項２３】
前記X線源が、
高エネルギー電子源を備え、前記高エネルギー電子が縦経路に沿って移動し、
前記高エネルギー電子の前記縦経路に沿った対象物材料をさらに備え、前記対象物材料は、高エネルギー電子が対象物に衝突することによりX線放射線を生成し、
前記対象物の少なくとも一部分に遮蔽材料をさらに備えており、前記遮蔽材料が、生成された放射線を発するために、対象物から遮蔽材料の外面へ延びるスロットを画定しており、
前記スロットが、前記縦経路を横断する軸を有し、
前記放射源が、スロットを介して発せられた放射線が、前記搬送システム上の物体を、検査のために照射できるように、前記搬送システムに関連して位置決めされている、請求項22に記載のX線走査システム。
【請求項２４】
X線放射線を生成する方法であって、
縦経路に沿って移動する高エネルギー電子を、遮蔽材料で包囲された対象物に衝突させて、放射線を生成し、
前記生成された放射線を、前記対象物から遮蔽材料へ延びたスロットによって、前記縦経路を横断する放射線ビーム内に視準する方法。
【請求項２５】
前記対象物から発せられた前記放射線を、前記縦軸に対して垂直な放射線ビーム内へ視準する、請求項24に記載の方法。
【請求項２６】
前記対象物から発せられた前記放射線を複数の放射線ビーム内に視準し、各ビームが前記縦経路を横断する、請求項24に記載の方法。
【請求項２７】
物体の内容を放射線源により検査する方法であって、前記方法が、
縦経路に沿って放射線源から遮蔽材料で包囲された対象物まで移動する高エネルギー電子を衝突させて放射線を生成し、
前記生成された放射線を、前記対象物から遮蔽材料を通って延びた少なくとも１つのスロットの各々によって、該縦経路を横断する放射線ビーム内に視準し、
前記対象物を前記放射線で照射し、
前記対象物と相互作用する放射線を検出する、物体の内容を放射線源により検査する方法。
【請求項２８】
前記対象物を、前記放射線ビームを介して前記縦経路に実質的に平行する第2軸に沿って搬送する、請求項27に記載の方法。
【請求項２９】
さらに、
前記線源から第1の複数の放射線ビームを放射し、各放射線ビームが、前記縦軸を横断する方向に発せられ、
第2の複数の対象物の各々を、前記第1の複数の放射線ビームの少なくともいくつかで照射し、
前記対象物の各々と相互作用する放射線を検出する、請求項27に記載の方法。
【請求項３０】
前記対象物をX線放射線で照射する、請求項27に記載の方法。
【請求項３１】
貨物コンテナを照射する、請求項27に記載の方法。
【請求項３２】
前記スロットは、前記第1縦軸と第2縦軸が90°±10°の範囲内の角度を形成する軸周辺で中心決めされている、請求項12に記載のX線源。
【請求項３３】
前記遮蔽材料は固定されている、請求項1に記載のX線源。
【請求項３４】
前記遮蔽材料は非回転である、請求項1に記載のX線源。
【請求項３５】
前記遮蔽材料は、前記対象物周辺に一部的にのみ延びているスロットを画定する、請求項1に記載のX線源。
【請求項３６】
少なくとも約１MeVのピークエネルギーを有するX線放射線を発するように適応される、請求項14に記載のX線源。
【請求項３７】
少なくとも約１MeVのピークエネルギーを有するX線放射線を発するように適応される、請求項15に記載の走査システム。
【請求項３８】
ベンドマグネットと、
前記ベンドマグネットを前記ハウジングの出力部に接続する第2チューブであって、前記第1チューブの終端付近が前記ベンドマグネットと前記第2チューブによって前記ハウジングの出力部と接続される、第2チューブと、
前記ベンドマグネットと接続される第1終端部を有する第3チューブと、
前記第3チューブ内の第2対象材料と、
前記対象材料を囲む前記第3チューブの少なくとも一部周辺の遮蔽材料と、を備え、
前記ハウジングから出る電子は、前記ベンドマグネットによって選択的に、前記第1チューブ又は第3チューブを介して、前記第1対象物又は前記第2対象物にそれぞれ方向付けられる、請求項15に記載の走査システム。
【請求項３９】
前記第1縦軸は及び第2縦軸は、45°以下の角度を形成する、請求項22に記載のX線走査システム。
【請求項４０】
前記第1縦軸は及び第2縦軸は平行である、請求項39に記載のX線走査システム。
【請求項４１】
前記スロットは、前記対象物周辺で部分的にのみ延びている、請求項24に記載の方法。